(57)【要約】  本開示は、ターボ機械（１０２）を流れる空気中に懸濁された腐食性成分を測定するシステム及び装置（１００）の実施形態を説明する。装置（１００）は、マニホールド（３３０）に配置された感知要素を有する検出モジュール（２０６）を備える流体回路（２０２）を含む。マニホールド（３３０）は、マニホールド（３３０）中の試料空気の流れと、周囲環境からの空気とを混合しないように、感知要素を取り囲む。一例では、流体回路はまた、試料空気の流れの流れ特性を監視する為に、要素、例えば圧力計（３２６）又はフローメータ（３２４）を備える流体流れモジュールを含む。流体流れモジュールの動作は、試料空気の流れの流れ特性を変化させて、腐食性の成分の検出を最適にできるようにする。
2015510130.tif 000002
【特許請求の範囲】
【請求項１】
資源における腐食を監視する為の装置であって、
選択された流れ特性を備える試料空気の流れを生成する流れ生成モジュール；
前記流れ生成モジュールに結合されて、前記試料空気の流れを受け取る検出モジュールであって、前記試料空気中の構成成分に応じて、前記試料空気を、感知要素と接触するように方向付けるマニホールドを含む検出モジュール；及び
前記流れ生成モジュールと結合する流体流れモジュールであって、前記試料空気の流れの前記流れ特性を測定する１つ以上の要素を含む、流体流れモジュール
を含む装置。
【請求項２】
前記流れ生成モジュール、前記検出モジュール、及び前記流体流れモジュールを取り囲む筐体をさらに含む、請求項１に記載の装置。
【請求項３】
前記流れ生成モジュールが、前記試料空気の流れの流れ特性を修正する為に供給空気を使用する、請求項１に記載の装置。
【請求項４】
前記感知要素が、腐食性の構成成分に反応する、請求項１に記載の装置。
【請求項５】
前記流体流れモジュールが、前記試料空気の流れの速度を測定し、及び前記速度が、前記検出モジュールの検出特性を生じさせるように予め設定されている、請求項１に記載の装置。
【請求項６】
前記流体流れモジュールが、外部空気供給部の圧力を監視する、請求項１に記載の装置。
【請求項７】
前記流れ生成モジュールが、前記流体流れモジュール及び前記マニホールドを通して試料空気を引き込むポンプを含む、請求項１に記載の装置。
【請求項８】
前記検出モジュールが、前記感知要素に結合された計算装置を含み、及び前記計算装置が、前記試料空気の前記構成成分に関連したデータを外部装置と交換する、請求項１に記載の装置。
【請求項９】
前記マニホールドが、周囲環境からの空気と試料空気とを混合させないように、前記感知要素を取り囲む、請求項１に記載の装置。
【請求項１０】
空気中の構成成分を測定する監視装置であって、
計算装置と、前記計算装置に結合され且つ前記構成成分に反応する１つ以上の感知要素と、前記感知要素を外気に曝さないようにする為に前記感知要素を取り囲むマニホールドとを含む検出要素；
前記マニホールドと流れが接続されるポンプであって、選択された流れ特性を備える試料空気の流れを送達するポンプ；及び
前記ポンプに結合され且つ空気供給ポートに結合された圧力計
を含み、
前記選択された流れ特性が、前記検出モジュールの検出特性を生じさせるように予め設定されている、
監視装置。
【請求項１１】
前記ポンプ及び前記圧力計と流れが接続されるフローメータをさらに含む、請求項１０に記載の監視装置。
【請求項１２】
前記ポンプが、供給空気によって駆動される真空ポンプを含む、請求項１０に記載の監視装置。
【請求項１３】
ハウジングと、前記ハウジングに結合され、その内部に格納された構成要素にアクセスできるようにするアクセスパネルとをさらに含み、前記ハウジングは、１つ以上の流体ポート及び１つ以上のデータポートを備える入口／出口パネルを含み、前記筐体に対して流体が流出入できるようにし、且つ前記計算装置とデータを交換できるようにする、請求項１０に記載の監視装置。
【請求項１４】
前記マニホールドが、周囲環境からの空気と試料空気とを混合させないように、前記感知要素を取り囲む、請求項１０に記載の監視装置。
【請求項１５】
電力生成システムであって、
ターボ機械；
前記ターボ機械に結合された吸気系統であって、周囲環境からの空気を前記ターボ機械へ方向付ける、吸気系統；
前記吸気系統に結合されたサンプリング装置；及び
前記サンプリング装置に結合された監視装置であって、前記サンプリング装置によって前記吸気系統から引き出された試料空気中の汚染物質を検出する感知要素を有する検出モジュールを備える流体回路を含む、監視装置
を含み、
試料空気は、前記検出モジュールの検出特性を生じさせるように予め設定された流れ特性を備えて、前記流体回路を流れる、
システム。
【請求項１６】
前記サンプリング装置が、前記吸気系統内に延在するプローブを含む、請求項１５に記載のシステム。
【請求項１７】
前記プローブが等速性プローブを含む、請求項１６に記載のシステム。
【請求項１８】
前記サンプリング装置が、前記ターボ機械の下流の前記吸気系統に結合する、請求項１５に記載のシステム。
【請求項１９】
前記監視装置が前記吸気系統に取り付けられる、請求項１５に記載のシステム。
【発明の詳細な説明】
【技術分野】
【０００１】
本明細書に開示する主題は、空気の品質モニタリングに関し、特に、ターボ機械に入る試料空気中の汚染物質をモニタリングする為のシステム及び装置の実施形態に関する。 
【背景技術】
【０００２】
ガスタービンターボ機械、航空機転用ターボ機械、及び他の様々なターボ機械は、流入空気をコンプレッサの方へ向かわせる吸気系統を使用する。吸気系統はフィルターセクションを有し、空気から異物及び他の物質をふるい分け得る。一般に、吸気系統及びコンプレッサは金属を含み、これら金属は、ターボ機械が動作する環境に由来するある種の汚染物質と接触すると、腐食し得る。
【０００３】
幾つかのターボ機械は、微環境、例えば、異なる流れの性質（例えば、速度及び圧力）で空気が流れるターボ機械の領域を作り上げ得る。これらの流れの性質は、腐食率を高め得る。さらに、ターボ機械にわたる流れの性質が異なることによって、様々な部分、領域、及び微環境全体に発生する腐食率を特定する為に周囲条件を使用することができなくなる。ターボ機械、例えば、コンプレッサの構成要素に与える空気の環境影響を判断する為の技術は、必然的に、ターボ機械の下流の空気を監視し得る。
【０００４】
腐食率を測定する為の１つの技術は、気流に帯条片（以下「クーポン」と称する）を配置することである。この構成ではクーポンを露出させる為、クーポンは、時間が経つにつれて腐食して機能しなくなる。エンドユーザ（例えば、技術者）が、例えば、クーポンを周期的に目視検査することによって、腐食の進行具合や機能不全までの時間を監視し得る。しかしながら、より正確な判断の為には、クーポンを研究室に送って、より時間がかかり且つ高価な検査を行って、機能不全の原因となる腐食の１つ又は複数のタイプを判断する。
【０００５】
クーポンを使用すると、幾つかの問題を生じ得る。クーポンは、例えば、外れて、発射体となる可能性があり、それにより、コンプレッサの構成要素を損傷させ得る。クーポンはまた、流れにゆがんだ波を生じる可能性があり、これもターボ機械の構成要素を損傷させ得る。さらに、クーポンへアクセスする為には、ターボ機械を停止する必要がある場合もあり、これにより、ターボ機械の全体的な動作性能を低下させる。
【発明の概要】
【発明が解決しようとする課題】
【０００６】
上述の説明は、単に一般的な基礎的な情報を提供するものにすぎず、及び特許請求する主題の範囲を決定するのを助けるものとして使用されるものではない。
【課題を解決するための手段】
【０００７】
本開示は、流体中、例えば、ターボ機械の下流を流れる空気中の汚染物質を測定する為のシステム及び装置の実施形態を説明する。システム及び装置の一部の実施形態の実施の利点は、腐食性成分を含む、流体の構成成分に関するリアルタイムデータを提供することである。このデータは、ターボ機械の構成要素の腐食率を正確に表すことができ、且つターボ機械への損傷が発生し得る前に、潜在的な問題を特定及び診断するのを助けることができる。
【０００８】
一実施形態では、本開示は、資源における腐食を監視する為の装置を説明する。装置は、選択された流れ特性を備える試料空気の流れを生成する流れ生成モジュールを含む。装置はまた、流れ生成モジュールに結合されて試料空気の流れを受け取る検出モジュールを含む。検出モジュールは、試料空気中の構成成分に応じて、試料空気を、感知要素と接触するように方向付けるマニホールドを含む。装置はまた、流れ生成モジュールと結合する流体流れモジュールを含み、流体流れモジュールは、試料空気の流れの流れ特性を測定する為の１つ以上の要素を含む。
【０００９】
別の実施形態では、本開示は、空気中の構成成分を測定する監視装置を説明する。監視装置は、計算装置を含む検出要素と、計算装置に結合され且つ構成成分に反応する１つ以上の感知要素と、感知要素を取り囲んで、感知要素を外気に曝さないようにするマニホールドとを含む。監視装置はまた、マニホールドと流れが接続されて、選択された流れ特性を備える試料空気の流れを送達するポンプと、ポンプ及び空気供給ポートに結合された圧力計とを含む。一例では、選択された流れ特性は、検出モジュールの検出特性を生じさせるように予め設定される。
【００１０】
さらに別の実施形態では、本開示は、パワー即ち電力を生み出すシステムを説明する。システムは、ターボ機械と、ターボ機械に結合された吸気系統とを含み、吸気系統は、周囲環境からの空気をターボ機械へ方向付ける。システムはまた、吸気系統に結合されたサンプリング装置と、サンプリング装置に結合された監視装置とを含む。監視装置は、検出モジュールを備える流体回路を含み、この検出モジュールは、サンプリング装置によって吸気系統から引き出された試料空気中の汚染物質を検出する為に、感知要素を有する。一例では、試料空気は、検出モジュールの検出特性を生じさせるように予め設定される流れ特性を備えて、流体回路を流れる。
【００１１】
本発明のこの簡単な説明は、１つ以上の例示的実施形態に従って本明細書で説明した主題の概要を提供するものにすぎず、及び特許請求の範囲を解釈する為の、又は添付の特許請求の範囲でのみ定義される本発明の範囲を定義もしくは限定する為の指針の役割を果たすものではない。この簡単な説明は、一連の例示的概念を単純な形態で導入する為に提供されるものであり、下記において詳細な説明でさらに説明される。この簡単な説明は、特許請求する主題の主要な特徴又は本質的な特徴を特定するものでも、又は、特許請求する主題の範囲を決定するのを支援する為に使用されるものもない。特許請求する主題は、背景において述べたいずれか又は全ての欠点を解決する実装例に限定されない。
【００１２】
本発明の特徴を理解し得るように、本発明の詳細な説明は、幾つかの実施形態を参照することによって得られ、それらの幾つかは添付の図面に示される。しかしながら、図面は、本発明の幾つかの実施形態を示すにすぎず、それゆえ、その範囲を限定するとみなされるべきではなく、本発明の範囲は、他の等しく効果的な実施形態を包含することに留意されたい。図面は必ずしも縮尺通りではなく、概して、本発明の幾つかの実施形態の特徴を説明する際には強調されている。図面では、様々な図面を通して、同様の符号を使用して同様の部分を示す。それゆえ、本発明をさらに理解する為に、図面と併せて読まれる以下の詳細な説明を述べる。
【図面の簡単な説明】
【００１３】
【図１】ターボ機械を流れる空気中の汚染物質を測定する為の、吸気系統に結合する例示的な空気サンプリングシステムを示す。
【図２】図１の空気サンプリングシステムにおいて使用される例示的な監視装置の概略図を示す。
【図３】図１の空気サンプリングシステムにおいて使用される別の例示的な監視装置の前面図を示す。
【図４】アクセスドアがその閉鎖位置にある状態の、図３の監視装置の前面図を示す。
【図５】図２、図３、及び図４の監視装置において使用される例示的な検出モジュールの斜視図を示す。
【発明を実施するための形態】
【００１４】
以下のシステム及び装置の実施形態は、ターボ機械及び関連システムの腐食の動的モニタリングを提供し得る。これらの実施形態は、高感度な計算装置を展開して、リアルタイムで試料空気からデータを収集し、それにより、ターボ機械に流入する空気の品質及び特性に関する広範な情報を生成する。しかしながら、一態様では、システム及び装置は、計算装置の特定の要素を試料空気中の汚染物質に曝すにすぎない。この特徴は、高感度機器を、動作を中断させることがあり、しばしば、計算装置の動作を停止させ、且つ計算装置を全く実施できなくさせ得る損傷から、保護する。
【００１５】
図１は、流体（例えば、空気）中の成分を検出、測定、及び／又は監視でき、資産、例えば、ターボ機械１０２を損傷させないようにする例示的な空気サンプリングシステム１００（同様に「システム１００」）を示す。例えば、サンプリングシステム１００は、空気中の腐食要素を検出できる。これらの腐食要素は、ターボ機械１０２の構成要素を損傷させ得る。しかしながら、本設計の利点は、ターボ機械１０２の動作を妨害することなく、システム１００のサービス及び／又はメンテナンスを行うことができることである。それゆえ、例えば、ターボ機械１０２に流入する空気に接触している又はその空気に曝される適所にあるクーポン又は他の装置を回収する為に、ターボ機械１０２の電源を切る必要もパワーを落とす必要もない。
【００１６】
ターボ機械１０２は、周囲環境から空気を方向付ける吸気系統１０４に結び付き得る。一例では、コンプレッサ１０６が吸気系統１０４に結合されて、空気を、吸気系統１０４を通してターボ機械１０２まで動かす。図１に示すように、システム１００は、１つ以上のサンプリング箇所（例えば、第１のサンプリング箇所１０８、第２の箇所１１０、第３の箇所１１２、第４の箇所１１４、及び第５の箇所１１６）において吸気系統１０４に結合する。サンプリング箇所１０８、１１０、１１２、１１４、１１６は、吸気系統１０４の内部を流れる空気（及び／又は他の流体）にシステム１００が曝される箇所である。例えば、ターボ機械１０２の動作中、システム１００は、少量の空気のサンプルを抜いて、そこに分散している汚染物質の範囲及び内容を判断することができる。
【００１７】
一実施形態では、システム１００は、サンプリング装置（全体的に符号１２０で示す）及び監視装置１２２を含む。処理装置１２４は監視装置１２２と結合する。処理装置１２４は、１つ以上のプログラム及び／又は実行可能命令を備える計算装置（例えば、コンピュータ、ラップトップ、携帯機器）を含み得る。サンプリング装置１２０の例は、吸気系統１０２を通って平均速度で動いている空気を抽出できるプローブ（例えば、等速性プローブ）又はノズルを適所（例えば、サンプリング箇所１０８、１１０、１１２、１１４、１１６）に有する。この試料空気は、溶解した、懸濁した、揮発性の、及び腐食性の構成成分の代表的な濃度を有する。監視装置１２２は、これらの構成成分を検出でき、且つその検出に応じて、空気中の構成成分の分量の測定値（ｓｏｍｅ  ｍｅａｓｕｒｅ）を表す情報（例えば、データ及び電気信号）を生成できる。処理装置１２４は、サンプリング装置１２２と監視装置１２４との間の、例えば有線及び／又は無線の接続を介して、この情報を受信する。コンピュータプログラムの１つ以上の実行により、エンドユーザ（例えば、技術者）に対して情報を読み出し且つ表示し得る。
【００１８】
図１の図面の左側から右側に進みながら吸気系統１０４の説明を続けると、一例では、吸気系統１０４は、ウェザーフード１２６及び吸込フィルターハウジング１２８を含む。吸込フィルターハウジング１２８の内側に冷却モジュール１３０が見られ得る。冷却モジュール１３０は、流体（例えば、水）を吸込フィルターハウジング１２８中に分散させて、そこを流れる空気のフィルタリングを容易にする洗浄システムを含み得る。移行部片１３２が吸込フィルターハウジング１２８を吸気ダクト１３４に結合する。これらの要素の物理的特徴は、空気が吸気系統１０４からターボ機械１０２へ移行するときの空気の流れにおける幾つかの流れ特性（例えば、速度、圧力など）を発達させるのに供する。吸気ダクト１３４の内側では、空気は、１つ以上の他の要素、例えば、消音器セクション１３６、加熱システム１３８、及びふるい分け要素１４０を通過することができる。要素１３６、１３８、１４０は、空気が吸気系統１０４を通ってターボ機械１０２まで移動するときに、空気を調整するのに有用である。
【００１９】
図２は、図１の空気サンプリングシステム１００で使用する為の例示的な監視装置２００の概略図を示す。監視装置２００は、流体流れモジュール２０４、検出モジュール２０６、及び流れ生成モジュール２０８を備える流体回路２０２を含む。流体回路２０２はまた、チューブ２１０及び１つ以上の流体ポートを含み、これら流体ポートは、監視装置２００に対する空気及び他の流体の流入及び流出を可能にする。一例では、これらポートは、試料空気ポート２１１、空気供給ポート２１２、及び排出ポート２１３を含む。試料空気ポート２１１は検査箇所に結合されて、フローパターン２１４で流れ回路２０２を通って流れる試料空気を提供する。空気供給ポート２１２は、別個の供給部及び／又は供給源から圧縮流体（例えば、圧縮空気）を受け取ることができる。圧縮空気は、流れ生成モジュール２０８を動作させる。一例では、検出モジュール２０６は、例えば電線を介してデータポート２１５と結合されて、１つ以上のリモートの装置と情報を交換し、このリモートの装置は、所望によりデータポート２１５に結合されて、及び／又は電線に直接及び／又は検出モジュール２０６に直接、結合し得る。
【００２０】
データポート２１５は、監視装置２００を外部のコンピューティング手段、例えば、図１の処理装置１２４に有線接続する為に１つ以上のコネクタ（例えば、ＵＳＢコネクタ、ＲＳ−２３２コネクタ）を含み得る。一例では、データポート２１５はまた、１つ以上の無線装置（例えば、ＲＦ装置）を含み、情報を、監視装置２００から、監視装置２００から離れた箇所に伝達できる。流体ポート（例えば、試料空気ポート２１１、空気供給ポート２１２、及び排出ポート２１３）の例は、監視装置２００に流体を送達するチューブ、パイプ、及び導管に適合できる。これらの流体は、ターボ機械（例えば、ターボ機械１０２）の上流から取られた試料空気を含み得る。以下説明するように、流体はまた、供給空気を含む様々な供給流体を含み、監視装置２００の１つ以上の要素を動作させ得る及び／又はそれら要素の動作を促し得る。流体ポートは、チューブ状タイプの要素を収容できる様々なタイプの継手（例えば、簡易脱着流体継手）を組み込み得る。
【００２１】
概して、監視装置２００の動作中、試料空気は流れ回路２０２に入り、流体ポート２１０の１つ以上を経由して検出モジュール２０６で検査される。流れ生成モジュール２０８は、試料空気に特定の流れ特性（例えば、流量）を誘発し得る。流れ生成モジュール２０８は、例えば、流体の圧力を変化させ、流体回路２０２における空気の速度を高め、且つ低下させる。流れ制御モジュール２０４は、これらの流れ特性、ならびに流れ回路２０２における試料空気の他の動作パラメータを監視し得る。
【００２２】
例示的な動作パラメータは、所望により、流れ特性（例えば、流量及び流体の速度）、ならびに温度、圧力、汚染物質レベル、及び同様の測定基準を含み得る。一例では、流れ特性は、較正及び／又は構成手順の一部として事前設定され、検出モジュール２０６の検出特性を生じさせる。これらの検出特性は、例えば、検出モジュール２０６の動作の幾つかのパラメータ、例えば、検出モジュール２０６を横切って流れる空気の特定の流量及び／又は速度を定義し、予め決められた特定のサイズの閾値の汚染物質の検出を可能にする。別の例では、流れ制御モジュール２０４及び流れ生成モジュール２０８は組み合わさって動作して、検出モジュール２０６を通る試料空気の流れを管理し得る。この組み合わせにより、検出結果、例えば、試料空気における汚染物質の検出結果を改善する為に試料空気の流れの動的制御を可能にするフィードバックループ、及び／又は検出モジュール２０６の検出特性を変化させる為に試料空気の流れの流れ特性を修正するフィードバックループを形成し得る。
【００２３】
検出モジュール２０６の例は、これらの汚染物質を検出する。一例では、検出モジュール２０６は、汚染物質と反応する１つ以上の要素を含む。これらの反応は、幾つかの電気信号及び／又は他の信号を記録して、試料空気に見られる腐食性の汚染物質（及び／又は概して他の汚染物質のレベル）を測定し得る。電気信号は、汚染物質のレベル、例えば、吸気系統（例えば、図１の吸気系統１０２）を流れる空気と一致するレベルを反映する情報（同様に「データ」）を含み得る。検出モジュール２０６として使用する為の例示的な装置の詳細は、図５から分かり、且つ以下でさらに説明する。
【００２４】
図３は、図２の監視装置２００のように流れ制御モジュール３０４、検出モジュール３０６、及び流れ生成モジュール３０８を有する、別の例示的な監視装置３００を示す。チューブ３１６がこれらのモジュールを互いに接続する。監視装置３００は、ハウジング３２０とアクセスパネル３２２とを備える筐体３１８を有する。筐体３１８の各要素は協働して、モジュールをシールし、且つ周囲環境からモジュールを保護する。筐体３１８の内側に、流れ制御モジュール３０４は、１つ以上の流れ監視要素（例えば、フローメータ３２４及び圧力計３２６）を含み、監視装置３００全体に流れる試料空気の流れのパラメータを測定する。検出モジュール３０６は、計算装置３２８及びマニホールド３３０を有し、試料空気はマニホールドを通って検出モジュール３０６に対して出入りする。圧力計３２６はポンプ３３２と結合されて、検出モジュール３０６を通る試料空気の流れを管理する。一実施形態では、監視装置３００は、１つ以上の振動マウント（例えば、第１のマウント３３６、第２のマウント３３８、及び第３のマウント３４０）を含む減衰アセンブリ３３４を含む。
【００２５】
一実装例では、ポンプ３３２の動作によって、試料空気を、マニホールド３３０及びフローメータ３２４を通して筐体３１８に引き入れ、一例では、選択した流れ特性を備える試料空気の流れを生成する。ポンプ３３２の例は、真空補助（ｖａｃｕｕｍ−ａｓｓｉｓｔｅｄ）ポンプを含み、このポンプは、筐体３１８に流入する別個の供給空気を利用する。図３に示すように、フローメータ３２４は、試料空気の流れの流量（及び／又は速度）を監視して、１つ以上の外部装置にデータ及び情報を提供する。一例では、フローメータ３２４及び圧力計３２６からのデータは、所望により、あるタイプの汚染物質の検出を改善する及び／又は最適にする為に流れ特性を調整するように、ポンプ３３２の動作を修正するのに有用である。
【００２６】
筐体３１８の構造は、金属、プラスチック、及び様々な材料特性の複合材を含み得る。好適な材料は、厳しい環境条件に耐えて、筐体３１８の内部に見られる構成要素の保護を長持ちさせる。同様に、マニホールド３３０を構成する材料は、腐食要素に耐える及び／又は不活性である。この特徴により、マニホールド３３０の破損を回避し、それにより、試料空気を、周囲環境からの空気と混合できるようにし得る。
【００２７】
図４は、アクセスパネル３２２が、ハウジング３２０に近接したその閉鎖位置にあり、その内部に見られる構成要素へアクセスできない状態にある、図３の監視装置３００を示す。ハウジング３２０は、様々な流体及びデータ装置に関する接続部を受け入れる入口／出口（Ｉ／Ｏ）パネル３４４を形成する前壁３４２を有する。Ｉ／Ｏパネル３４４は、流体Ｉ／Ｏ３４６及びデータＩ／Ｏ３４８を含み、それら各々は、上述の及び本明細書で考慮される様々な構成のコネクタを含み得る。一例では、データＩ／Ｏ３４８は、フローメータＩ／Ｏ３５０、検出モジュールＩ／Ｏ３５２、及び１つ以上の予備のＩ／Ｏ３５４を含む。流体Ｉ／Ｏ３４６は、周囲空気供給部３５６、試料空気供給部３５８、及び通気口３６０を含み得る。周囲空気供給部３５６は、空気タンク又は他の外部供給部と結合させることができる。上述の通り、この外部供給部からの空気がポンプ３３２（図３）を駆動する。試料空気供給部３５８はプローブと結び付き、プローブは、例えば吸気系統（例えば、図１の吸気系統１０４）から試料空気まで延在して、試料空気を提供する。一例では、ポンプ３３２は通気口３６０と結合されて、動作中に供給空気を放出する。
【００２８】
図５は、ターボ機械に流れる空気の試料の構成成分を検出する検出モジュール４００の例を示す。検出モジュール４００は、マニホールド４０２及び感知システムを有する。計算装置４０４及び１つ以上の感知要素（例えば、第１の感知要素４０６及び第２の感知要素４０８）が、図５の例の感知システムを供する。しかしながら、本開示は、本明細書で説明する主題の測定基準及び他の態様を満たす装置／要素の他の構成を考慮する。マニホールド４０２はマニホールドハウジング４１０を含み、マニホールドハウジングは、内部空洞部４１２において感知要素４０６、４０８を取り囲む。図示しないが、マニホールドは、内部空洞部４１２を覆うカバーを含み、このカバーは、マニホールドハウジング４１０と協働して、感知要素４０６、４０８を保護及び分離し得る。この構成により、試料空気を、マニホールド４０２の周囲環境からの空気と混合しないようにする。一例では、マニホールドハウジング４１０は、コネクタ（例えば、第１のコネクタ４１６及び第２のコネクタ４１８）を備えるポート（例えば、第１のポート４１２及び第２のポート４１４）を含む。
【００２９】
本明細書では、単数形で列挙され、且つ語「ａ」又は「ａｎ」に続く要素又は機能は、複数の前記要素又は機能の除外が明白に列挙されない限り、それらを除外すると理解されるべきではない。さらに、特許請求する発明の「一実施形態」の記載は、列挙した特徴を同様に組み込む追加的な実施形態の存在を除外すると解釈するべきではない。
【００３０】
この明細書は、最良の態様を含め、本発明を開示する為の例を使用し、且つまた、任意の装置又はシステムを作製及び使用する、及び任意の組み込まれた方法を実施することを含め、当業者が本発明を実施できるようにする。本発明の特許性のある範囲は、特許請求の範囲によって定義され、及び当業者が思いつく他の例を含み得る。そのような他の例は、特許請求の範囲に忠実な言語と違わない構造要素を有する場合、又は特許請求の範囲に忠実な言語とごくわずかしか違わない均等の構造要素を含む場合、特許請求の範囲内にあるものとする。
【図１】
2015510130.tif 000003
【図２】
2015510130.tif 000004
【図３】
2015510130.tif 000005
【図４】
2015510130.tif 000006
【図５】
2015510130.tif 000007
【国際調査報告】
2015510130.tif 000008
2015510130.tif 000009